(57)【要約】【課題】適正なガンマ値を得られやすく、かつ、夜間など周囲が暗い所でも、中間調を正確に表示できる、液晶表示装置を提供する。【解決手段】複数の行電極及び複数の列電極を有する液晶パネル１１と、各行電極を駆動するゲートドライバ１０と、各列電極を駆動するソースドライバ９と、複数のシリアルデータを出力する制御部１５と、各シリアルデータをガンマ補正用の各階調基準電圧にＤＡ変換するＤＡ変換部２３とを備え、前記ソースドライバ９は、各階調基準電圧に従い複数の階調電圧を生成し、入力された画像データに対応する前記階調電圧を選択し、前記液晶パネル１１に対して出力する。【選択図】図１
2007033980.tif 000002
【特許請求の範囲】
【請求項１】
複数の行電極及び複数の列電極を有する液晶パネルと、各行電極を駆動するゲートドライバと、各列電極を駆動するソースドライバと、複数のシリアルデータを出力する制御部と各シリアルデータをガンマ補正用の各階調基準電圧にＤＡ変換するＤＡ変換部とを備え、前記ソースドライバは、各階調基準電圧に従い複数の階調電圧を生成し、入力された画像データに対応する前記階調電圧を選択し、前記液晶パネルに対して出力する事を特徴とする液晶表示装置。
【請求項２】
前記制御部は、ある階調電圧における前記液晶パネルの測定輝度が所定輝度から外れていると判定した場合、前記制御部は前記所定輝度に一致する様に、ガンマ値を変更する事を特徴とする請求項１の液晶表示装置。
【請求項３】
前記複数の階調基準電圧は、複数の第１階調基準電圧と、複数の第２階調基準電圧とからなり、前記第１階調基準電圧または前記第２階調基準電圧の一方を選択し、前記ソースドライバへ出力するスイッチ部を設け、前記液晶パネルの共通電極に印加される共通電圧の値が交番に変化され、前記共通電圧が低い場合、前記スイッチ部は前記第１階調基準電圧を選択し出力し、前記共通電圧が高い場合、前記スイッチ部は前記第２階調基準電圧を選択し出力する事を特徴とする請求項１の液晶表示装置。
【請求項４】
前記液晶パネルにおける全白時の透過率を選択する選択部を設け、前記選択部を前記制御部に接続させ、前記制御部は選択された前記透過率に従って、前記各シリアルデータを出力する事を特徴とする請求項１の液晶表示装置。
【請求項５】
前記選択部は、自動車のライトが点灯したか否かを検知する検知器または前記透過率を変更できる操作部により構成されている事を特徴とする事を特徴とする請求項４の液晶表示装置。
【発明の詳細な説明】
【技術分野】
【０００１】
本発明は、液晶表示装置に関に関する。
【背景技術】
【０００２】
従来、この種の装置は例えば、特許文献１の図１に示されている。この図１によると、オペアンプ１1等からなる第１の分圧回路と、オペアンプ１２等からなる第２の分圧回路を設け、ガンマ補正電圧Ｖ０，Ｖ６を生成している。
【０００３】
また、複数の抵抗器と、オペアンプ１３〜１７からなる第３の分圧回路を設け、電圧Ｖ０，Ｖ６を更に５種類の電圧に細分化して、ガンマ補正電圧Ｖ１〜Ｖ５を生成している。このガンマ補正電圧回路を動作させるために、電源電圧ＡＶＤＤ（例えば５ボルト）が印加されている。
【特許文献１】特開２００２−２５０９０８号公報
【発明の開示】
【発明が解決しようとする課題】
【０００４】
本発明者は、このガンマ補正電圧回路と、液晶パネルと、ゲートドライバと、ソースドライバと、電源部等を有する液晶表示装置を製造した。なお、ソースドライバはガンマ補正電圧Ｖ０〜Ｖ６を更に細分化し、６４階調とした。
【０００５】
この液晶表示装置における、ガンマ特性図を図５に示す。図５の横軸は階調度を示す。図５の縦軸は、液晶パネルの表示画面の輝度（カンデラ／平方ｍ）を示す。また、この時液晶表示装置に設けられた冷陰極管は、定格値、即ち１００％の光出力にて動作している。
【０００６】
良い表示品質を得るためには、適正ガンマ値（γ＝２．２±０．１以内）にする必要がある。電源電圧ＡＶＤＤが定格値＋２．６５％、即ち５．１３２５ボルトになると、ガンマ値は適正値から大きく、外れることが分かる。また、電源電圧ＡＶＤＤが定格値−２．６５％、即ち４．８６７５ボルトになると、ガンマ値は適正値から大きく、外れることが分かる。この様に、電源電圧ＡＶＤＤがばらつくと、適正なガンマ値が得られない、第１の欠点がある。
【０００７】
更に、この液晶表示装置を車載用ナビゲーションに組み込んだ場合、特に夜間では、液晶パネルが明る過ぎて、ユーザが見にくい、欠点がある。この欠点を解消するために、本発明者は冷陰極管の出力を、定格値の約１０％（この程度が最小限である）とした。この時、液晶パネルの表示画面は、５００×０．１＝５０カンデラ／平方ｍである。
【０００８】
これでも、ユーザは液晶パネルが眩しいと感じる。上記液晶表示装置は、中間調（例えば、５カンデラ／平方ｍ）を正確に表示できない、第２の欠点がある。
【０００９】
そこで、本発明はこの様な従来の欠点を考慮し、適正なガンマ値を得られやすく、かつ周囲の輝度が低い場合でも、中間調を正確に表示できる、液晶表示装置を提供する。
【課題を解決するための手段】
【００１０】
上記課題を解決するために、請求項１の本発明では、複数の行電極及び複数の列電極を有する液晶パネルと、各行電極を駆動するゲートドライバと、各列電極を駆動するソースドライバと、複数のシリアルデータを出力する制御部と各シリアルデータをガンマ補正用の各階調基準電圧にＤＡ変換するＤＡ変換部とを備え、前記ソースドライバは、各階調基準電圧に従い複数の階調電圧を生成し、入力された画像データに対応する前記階調電圧を選択し、前記液晶パネルに対して出力する。
【００１１】
請求項２の本発明では、前記制御部は、ある階調電圧における前記液晶パネルの測定輝度が所定輝度から外れていると判定した場合、前記制御部は前記所定輝度に一致する様にガンマ値を変更する。
【００１２】
請求項３の本発明では、前記複数の階調基準電圧は、複数の第１階調基準電圧と、複数の第２階調基準電圧とからなり、前記第１階調基準電圧または前記第２階調基準電圧の一方を選択し、前記ソースドライバへ出力するスイッチ部を設け、前記液晶パネルの共通電極に印加される共通電圧の値が交番に変化され、前記共通電圧が低い場合、前記スイッチ部は前記第１階調基準電圧を選択し出力し、前記共通電圧が高い場合、前記スイッチ部は前記第２階調基準電圧を選択し出力する。
【００１３】
請求項４の本発明では、前記液晶パネルにおける全白時の透過率を選択する選択部を設け、前記選択部を前記制御部に接続させ、前記制御部は選択された前記透過率に従って、前記各シリアルデータを出力する。
【００１４】
請求項５の本発明では、前記選択部は、自動車のライトが点灯したか否かを検知する検知器または前記透過率を変更できる操作部により構成されている。
【発明の効果】
【００１５】
請求項１の構成により、ＤＡ変換部は、入力された各シリアルデータを、ガンマ補正用の各階調基準電圧にＤＡ変換するので、各階調基準電圧を理想値に近づける事ができる。その結果、適正なガンマ値を得やすい。
【００１６】
請求項２の構成により、所定輝度に一致する様に、ガンマ値を変更するので、電源電圧が定格値からばらついても、適正なガンマ値が得られる。
【００１７】
請求項３の構成により、共通電圧が低い場合と、高い場合に応じて、スイッチ部は各々第１階調基準電圧と、第２階調基準電圧を出力するので、液晶パネル内の液晶に対し、直流電圧成分が印加されないから、寿命が長くなる。また、ソースドライバ内において、この様な第１階調基準電圧および第２階調基準電圧を生成しなくても良いので、ソースドライバが簡素化し、コストが安くなる。
【００１８】
請求項４の本発明では、選択された全白時の透過率に従って、制御部が各シリアルデータを変更するので、全白時の透過率を容易に制御できる。その結果、全白時の透過率を低い値に選択することにより、周囲の輝度が低いとき（夜間の自動車の中など）でも中間調を正確に表示できる。
【００１９】
請求項５の構成により、自動車のライトが点灯したか否かを検知することにより、全白時の透過率を自動的に選択できるので、周囲が暗い自動車内において、液晶表示装置の輝度を十分に下げることができ、表示面が眩しくて見にくい事を解消できる。また、透過率を変更できる操作部を設けることにより、周囲の明るさに応じて、ユーザは、液晶表示装置の輝度を任意に変更できる。
【発明を実施するための最良の形態】
【００２０】
以下、本発明の具体例を実施例及び図面を用いて詳細に説明する。
【実施例】
【００２１】
以下に、図１ないし図５に従い、本発明の実施例に係る液晶表示装置１を説明する。図１は液晶表示装置１のブロック図、図２は液晶表示装置１の主要部品を示すブロック図である。図３は液晶表示装置１に用いられるＤＡ変換部のブロック図である。図４は液晶表示装置１における、階調基準電圧を示す表である。図５はガンマ特性図である。
【００２２】
図１において、液晶表示装置１は例えば、選択部２と、コネクタ３と、集積回路４と、電源部５と、発振器６と、フラッシュロム７と、タイミングコントローラ８と、ソースドライバ９と、ゲートドライバ１０と、液晶パネル１１等から構成されている。
【００２３】
選択部２は例えば、自動車のライトが点灯したか否かを検知する検知器である。選択部２は、コネクタ３に接続されている。自動車のライトが点灯している時、選択部２はコネクタ３に対し、Ｈ信号を出力する。自動車のライトが点灯していない時、選択部２はコネクタ３に対し、Ｌ信号を出力する。
【００２４】
上記説明と異なり、選択部２は例えば、ユーザが操作できる操作部である。選択部２は例えば可変抵抗器にて構成しても良い。選択部２の周辺には、表示部（図示せず）が配置されても良い。
【００２５】
この表示部は例えば、明るい（５），４，３，２，暗い（１）等が表示される。この様に選択部２は、液晶パネル（後述）の全白時の透過率を変更できる操作部にて構成されても良い。本実施例では、コネクタ３は例えば、車載用ナビゲーションの本体に接続されている。
【００２６】
同期信号１２は、車載用ナビゲーションの本体から、コネクタ３を介して、集積回路４の切換部１３に入力される。ロゴ信号ＬＯＧＯは、車載用ナビゲーションの本体から、コネクタ３を介して、切換部３に入力される。
【００２７】
画像データ１４は、車載用ナビゲーションの本体から、コネクタ３を介して、切換部３に入力される。画像データ１４は、例えば、Ｒ，Ｇ，Ｂの各６ビットのデジタルデータからなる。
【００２８】
クロック信号（図示せず）は、車載用ナビゲーションの本体から、コネクタ３を介して集積回路４に入力される。
【００２９】
制御部１５とコネクタ３は、バス１６を介して接続されている。制御部１５は例えば、マイクロコンピュータ等からなる。制御部１５は例えば、ＣＰＵと、ＲＯＭと、ＲＡＭ（共に図示せず）等から構成されている。
【００３０】
ＣＰＵは中央演算部であり、ＲＯＭはＣＰＵに接続され、ＣＰＵの制御プログラム等が記憶されている。ＲＡＭはＣＰＵに接続され、動作に必要なデータ等が記憶されている。
【００３１】
モニタ部１７の入力側には、同期信号１２が入力され、切換部１３に対し、スイッチング信号１８を出力する。
【００３２】
画像生成部１９は、車載用ナビゲーションの本体から同期信号１２が無い場合、所定の設定画面を生成するものである。発振器６は画像生成部１９に対し、データを出力する。フラッシュロム７は、画面情報を記憶しており、画像生成部１９へ出力する。
【００３３】
モニタ部１７は、車載用ナビゲーションの本体から、同期信号１２が無い事を検知すると、切換部１３に対して、Ｌのスイッチング信号１８を出力する。
【００３４】
また、画像生成部１９は、フラッシュロム７から得た画面情報を基に、画像データ２０を生成し、切換部１３へ出力する。この時、切換部１３は、画像生成部１９からの画像データ２０および同期信号２１を、コントローラ２２へ出力する。
【００３５】
以下に、モニタ部１７は、車載用ナビゲーションの本体から、同期信号１２があることを検知した場合を説明する。モニタ部１７は切換部１３に対して、Ｈのスイッチング信号１８を出力する。
【００３６】
切換部１３は、コネクタ３からの同期信号１２および、コネクタ３からの画像データ１４を、コントローラ２２に対して出力する。
【００３７】
ＤＡ変換部２３は、制御部１５から送られた複数のシリアルデータを、ガンマ補正用の各階調基準電圧にＤＡ変換するものである。
【００３８】
電源部５は例えば、ＤＣ−ＤＣコンバータからなり、入力側はコネクタ３から直流１２ボルトが入力される。複数の出力側は、各々の直流電圧（例えば、０ボルト、３．３ボルト、５ボルト等）を出力する。
【００３９】
電源部５はＤＡ変換部２３に対し、電源電圧ＶＤ（直流５ボルト）と、電源電圧ＶＳ（直流０ボルト）を出力する。電源部５は制御部１５に対し、所定の直流電圧を出力する。
【００４０】
これらの切換部１３と、制御部１５と、モニタ部１７と、画像生成部１９と、ＤＡ変換部２３等により、集積回路４が構成されている。
【００４１】
スイッチ部２４は、入力された１対の階調基準電圧のどちらかを選択するものである。コントローラ２２と、スイッチ部２４とにより、タイミングコントローラ８が構成されている。
【００４２】
液晶パネル１１は例えば、下ガラス基板上に複数個が形成された行電極と、複数個が形成された列電極と、それらの交点近傍に設けられたＴＦＴと、ＴＦＴに接続された画素電極（共に図示せず）などを有する。
【００４３】
液晶パネル１１は、上ガラス基板に設けられた共通電極と、下ガラス基板と上ガラス基板との間に設けられた液晶（共に図示せず）等を有する。
【００４４】
ソースドライバ９は、液晶パネル１１に設けられた各列電極を駆動するものである。ゲートドライバ１０は、液晶パネル１１に設けられた各行電極を駆動するものである。
【００４５】
コントローラ２２は、入力された同期信号１２と、画像データ１４と、データイネーブル信号と、クロック信号を信号処理する。
【００４６】
その結果、コントローラ２２は、ソースドライバ９に対し、画像データ１４と、ストローブ信号と、スタートパルス等を出力する。
【００４７】
また、コントローラ２２はゲートドライバ１０に対し、クロックパルス信号およびフレーム信号を出力する。
【００４８】
電源部５は、タイミングコントローラ８と、ソースドライバ９と、ゲートドライバ１０に対し各々、駆動用電圧ＶＤＤ１（例えば、３．３ボルト）を出力する。
【００４９】
電源部５は、液晶パネル１１の共通電極に対し、Ｌ（０ボルト）と、Ｈ（５ボルト）の共通電圧を交番に出力する。
【００５０】
電源部５は、ゲートドライバ１０を介して、液晶パネル１１の行電極に印加するための高電圧ＶＧＨ（例えば１２ボルト）および低電圧ＶＧＬ（例えば、−１５ボルト）を出力する。
【００５１】
次に、図２乃至図４に従い、液晶表示装置１の主要部品を詳細に説明する。選択部２は液晶パネル１１における全白時の透過率を選択するものである。選択部２は制御部１５に接続されている。
【００５２】
図２に示す様に、選択部２は例えば、自動車のライトが点灯したか否かを検知する検知器である。運転者が昼間に運転しているとき、ライトを消灯している場合、選択部２は制御部１５に対し、Ｈ信号を出力する。このＨ信号は、液晶パネル１１における全白時の透過率が１００％である事を、意味する。この時、導光板を介して、液晶パネル１１を照らす冷陰極管の出力は、定格値（光出力が１００％）である。
【００５３】
また、運転者が夜間に運転している時、ライトを点灯した場合、選択部２は制御部１５に対し、Ｌ信号を出力する。このＬ信号は、液晶パネル１１における全白時の透過率が例えば２０％である事を意味する。この時、導光板（図示せず）を介して、液晶パネル１１を照らす冷陰極管の光出力は、定格値の１０％である。
【００５４】
以下に、全白時の透過率が１００％の場合を説明する。ＤＡ変換部２３は制御部１５に接続されている。図３に示す様に、ＤＡ変換部２３は、シフトレジスタ２５と、アドレスデコーダ２６と、バス２７ａ，２７ｂと、ラッチ２８ａ〜２８ｊと、Ｄ／Ａ変換器２９ａ〜２９ｊと、バッファ３０ａ〜３０ｊと、２０個の端子から構成されている。
【００５５】
端子ＶＤＤには、電源電圧ＶＤ（５ボルト）が印加され、端子ＶＳＳには、電源電圧ＶＳ（ゼロボルト）が印加されている。
【００５６】
端子ＤＩは制御部１５に接続されている。端子ＤＩは、シフトレジスタ２５の入力側に接続されている。シフトレジスタ２５のデータ出力側は、バス２７ａを介して、ラッチ２８ａ〜２８ｊに接続されている。
【００５７】
各ラッチ２８ａ〜２８ｊは、各Ｄ／Ａ変換器２９ａ〜２９ｊと、各バッファ３０ａ〜３０ｊとを介して、各端子ＡＯ１〜ＡＯ１０に接続されている。シフトレジスタ２５のアドレス出力側は、アドレスデコーダ２６と、バス２７ｂを介して、各ラッチ２８ａ〜２８ｊに接続されている。
【００５８】
クロック信号は、端子ＣＬＫを介して、シフトレジスタ２５に入力される。ロードデータは、端子ＬＤを介して、アドレスデコーダ２６に入力される。
【００５９】
第１連続データは、第１シリアルデータ（１０ビット）および第１アドレスデータ（４ビット）からなり、端子Ｄ１に入力される。それと同時に、クロック信号がシフトレジスタ２５に入力され、ロードデータがアドレスデコーダ２６に入力される。
【００６０】
この時、アドレスデコーダ２６はラッチ２８ａを指定する事により、第１シリアルデータはラッチ２８ａに入力され、データ更新される。更新された第１シリアルデータは、Ｄ／Ａ変換器２９ａにより、アナログ値に変換される。
【００６１】
このアナログ値はバッファ３０ａを通り、端子ＡＯ１に出力される。端子ＡＯ１に出力された電圧が、ガンマ補正用の階調基準電圧Ｖ１である。
【００６２】
Ｄ／Ａ変換器２９ａは例えば、公知のはしご形抵抗方式のものである。仮に、第１のシリアルデータが１１１１１１１１１１ならば、Ｖ１＝（（ＶＤ−ＶＳ）／１０２４）×１０２３＋ＶＳ＝４．９９５１（約５．００ボルト）となる。
【００６３】
上記説明と同様に、次に、第２連続データが端子ＤＩに入力されたとする。第２連続データは、第２シリアルデータ（１０ビット）および第２アドレスデータ（４ビット）からなる。第２シリアルデータはＤ／Ａ変換器２９ｂにより、ガンマ補正用の階調基準電圧Ｖ２（４．１７ボルト）にＤＡ変換され、端子ＡＯ２に出力される。
【００６４】
同様にして、第３〜第１０シリアルデータは、各々、Ｄ／Ａ変換器２９ｃ〜２９ｊにより、ガンマ補正用の階調基準電圧Ｖ３〜Ｖ１０にＤＡ変換され、各端子ＡＯ３〜ＡＯ１０に出力される。
【００６５】
この様にして、ＤＡ変換部２３はスイッチ部２４に対し、階調基準電圧Ｖ１〜Ｖ１０（図４における、透過率１００％，電圧Ｖの行を参照）を出力する。
【００６６】
図４に示す様に、複数の階調基準電圧Ｖ１〜Ｖ１０は、複数の第１階調基準電圧Ｖ１，Ｖ２，Ｖ３，Ｖ４，Ｖ５と、複数の第２階調基準電圧Ｖ６，Ｖ７，Ｖ８，Ｖ９，Ｖ１０とからなる。
【００６７】
図２に示す様に、スイッチ部８において、第１スイッチング部により、第１階調基準電圧Ｖ１と、第２階調基準電圧Ｖ６のどちらか一方が選択され、出力される第１出力端子２４ａが設けられている。
【００６８】
第２スイッチング部により、第１階調基準電圧Ｖ２と、第２階調基準電圧Ｖ７のどちらか一方が選択され、出力される第１出力端子２４ｂが設けられている。
【００６９】
第３スイッチング部により、第１階調基準電圧Ｖ３と、第２階調基準電圧Ｖ８のどちらか一方が選択され、出力される第１出力端子２４ｃが設けられている。
【００７０】
第４スイッチング部により、第１階調基準電圧Ｖ４と、第２階調基準電圧Ｖ９のどちらか一方が選択され、出力される第１出力端子２４ｄが設けられている。
【００７１】
第５スイッチング部により、第１階調基準電圧Ｖ５と、第２階調基準電圧Ｖ１０のどちらか一方が選択され、出力される第１出力端子２４ｅが設けられている。
【００７２】
タイミングコントローラ８を構成するコントローラ２２に設けれた制御端子２２ａ（図１参照）は、スイッチング部２４を構成する制御端子２４ｆに接続されている。
【００７３】
制御端子２２ａが制御端子２４ｆに対し、Ｌ信号を出力すると、第１スイッチング部〜第５スイッチング部は、第１階調基準電圧Ｖ１，Ｖ２，Ｖ３，Ｖ４，Ｖ５を選択し、出力する。
【００７４】
また、制御端子２２ａが制御端子２４ｆに対し、Ｈ信号を出力すると、第１スイッチング部〜第５スイッチング部は、第２階調基準電圧Ｖ６，Ｖ７，Ｖ８，Ｖ９，Ｖ１０を選択し、出力する。
【００７５】
コントローラ２２に設けられた制御端子２２ａは、電源部５に設けられた制御端子（図示せず）に対し、Ｌ信号を出力すると、電源部５は液晶パネル１１の共通電極に対し、Ｌ電圧（ゼロボルト）を出力する。
【００７６】
コントローラ２２に設けられた制御端子２２ａは、電源部５に設けられた制御端子（図示せず）に対し、Ｈ信号を出力すると、電源部５は液晶パネル１１の共通電極に対し、Ｈ電圧（５ボルト）を出力する。
【００７７】
上記内容をまとめる。複数の階調基準電圧Ｖ１〜Ｖ１０は、複数の第１階調基準電圧Ｖ１，Ｖ２，Ｖ３，Ｖ４，Ｖ５と、複数の第２階調基準電圧Ｖ６，Ｖ７，Ｖ８，Ｖ９，Ｖ１０とからなる。
【００７８】
スイッチ部２４は、第１階調基準電圧Ｖ１〜Ｖ５または第２階調基準電圧Ｖ６〜Ｖ１０の一方を選択し、ソースドライバ９へ出力する。
【００７９】
液晶パネル１１の共通電極に印加される共通電圧Ｖｃｏｍの値は、交番に変化される（例えば、０ボルトと、５ボルトの繰り返し）。共通電圧Ｖｃｏｍが低い場合（０ボルト）、スイッチ部２４は第１階調基準電圧Ｖ１，Ｖ２，Ｖ３，Ｖ４，Ｖ５を選択し、出力する。
【００８０】
共通電圧Ｖｃｏｍが高い場合（５ボルト）、スイッチ部２４は第２階調基準電圧Ｖ６，Ｖ７，Ｖ８，Ｖ９，Ｖ１０を選択し、出力する。なお、この液晶表示装置１は、ノーマリホワイトモードにて設定されている。
【００８１】
図２において、ソースドライバ９は、第１分圧回路３１と、ＤＡ変換回路３２と、バッファ３３等からなる。第１分圧回路３１は複数の抵抗が直列接続されたものである。
【００８２】
第１分圧回路３１はＤＡ変換回路３２に対して、第１階調基準電圧Ｖ１，Ｖ２，Ｖ３，Ｖ４，Ｖ５および、それらの分圧Ｖ１Ａ，Ｖ３Ａ，Ｖ４Ａを出力する。
【００８３】
図示していないが、ＤＡ変換回路３２の入力側には、第２分圧回路が設けられている。第２分圧回路も、複数の抵抗が直列接続されたものである。
【００８４】
この第２分圧回路により、第１階調基準電圧Ｖ５〜Ｖ１の間で、例えば、６４個の階調電圧ｖ０〜ｖ６３が生成される。即ち、ｖ０＝Ｖ１＝５．００ボルト，ｖ１，ｖ２，…ｖ６１，ｖ６２，ｖ６３＝Ｖ５＝１．３２ボルトが生成される。
【００８５】
ＤＡ変換回路３２において、上記第２分圧回路３２に接続されたＤＡ変換器（図示せず）が設けられている。
【００８６】
ＤＡ変換器は、公知のものであり、入力された画像データ１４（ＤＲ，ＤＧ．ＤＢ）に従って、階調電圧を選択し、出力するものである。
【００８７】
例えば、赤の画像データＤＲ（６ビット）が１１１１１１ならば、ＤＡ変換回路３２は階調電圧ｖ６３を出力する。上記ＤＲが００００００ならば、ＤＡ変換回路３２は、階調電圧ｖ０を出力する。
【００８８】
なお、上記説明では、第１階調基準電圧Ｖ１〜Ｖ５のことを例示したが、第２階調基準電圧Ｖ６〜Ｖ１０についても、同様の動作をする。
【００８９】
即ち、ソースドライバ９は各階調基準電圧Ｖ１〜Ｖ１０に従い、複数の階調電圧（例えば、ｖ０〜ｖ６３）を生成する。
【００９０】
そして、ソースドライバ９は、入力された画像データ１４に対応する階調電圧を選択しバッファ（低インピーダンス化のため）３３を介して、液晶パネル１１の走査電極に対し上記階調電圧を出力する。
【００９１】
なお、上記第２分圧回路は、１個のソースドライバ９において、１個が設けられ、共有されている。また、上記ＤＡ変換器は、１個のソースドライバ９において、ソースドライバ９の出力端子（例えば、合計１６０個）毎に設けられている。以上の部品により、この液晶表示装置１は構成されている。
【００９２】
次に、工場の作業者は出荷前に、この液晶表示装置１の検査を行う。例えば、作業者は液晶パネル１１の表示面から所定距離だけ離れた位置に、輝度計３４（図１参照）を設置したとする。作業者は、輝度計３４の出力線をコネクタ３に接続する。
【００９３】
作業者は例えば、階調度４４からなる画像データ１４を、コネクタ３に対して出力したとする（図５参照）。
【００９４】
この時、制御部１５は、階調度４４における測定輝度がａ点（図５参照）であると、判定したとする。この時、制御部１５は、内蔵するＲＯＭが記憶しているテーブル（階調度に対するガンマ値の対比表）から、ａ点は、ガンマ値＝２．５であると、判定する。
【００９５】
次に、制御部１５は、階調度４４におけるガンマ値が２．２になる様に、テーブルを書き換える。その結果、階調度４４における輝度はｂ点（図５を参照）に変更され、望ましいガンマ特性が得られる。
【００９６】
また、必要に応じて、作業者は、他の中間階調度において、輝度測定を行っても良い。その時、制御部１５は、上記内容と同様に、ガンマ値の補正を行う。
【００９７】
上記内容をまとめる。制御部１５は、ある階調度における液晶パネル１１の測定輝度が所定輝度から外れている、と判定したとする。
【００９８】
この時、制御部１５は、所定輝度に一致する様に、ガンマ値を変更し、そのガンマ値に対応するシリアルデータを出力する。以上で全白時の透過率が１００％の状態の説明を終わる。
【００９９】
次に、全白時の透過率が例えば２０％の場合を説明する。例えば、運転者が夜間に運転している時、ライトを点灯した場合、選択部２は制御部１５に対し、Ｌ信号を出力する。
【０１００】
このＬ信号は、液晶パネル１１における全白時の透過率が例えば２０％である事を意味する。この時、導光板（図示せず）を介して、液晶パネル１１を照光する冷陰極管の光出力は、定格値の１０％であるとする。
【０１０１】
この時、制御部１５は選択された全白時の透過率（即ち、２０％）に従って、各シリアルデータを出力する。
【０１０２】
即ち、制御部１５はＤＡ変換部２３に対して、全白時の透過率が２０％になる様に、各シリアルデータを出力する。この時、ガンマ特性のガンマ値は２．２である。
【０１０３】
図４に示す様に、全黒時（即ち、Ｖ１とＶ６）において、全白時の透過率が１００％の時と、全白時の透過率が２０％の時を比較すると、階調基準電圧Ｖ１およびＶ６は各々、同じ値である。
【０１０４】
図４で分かる様に、全白時の透過率が１００％に選択された時、階調基準電圧Ｖ５は１．３２ボルトである。この時、液晶パネル１１を構成する液晶に印加される電圧（Ｖ−Ｖｃｏｍ）は１．３２ボルトである。この時、液晶表示装置１における、全白時の透過率は１００％である。
【０１０５】
一方、全白時の透過率が２０％に選択された時、階調基準電圧Ｖ５は４．２９ボルトである。この時、液晶パネル１１を構成する液晶に印加される電圧（Ｖ−Ｖｃｏｍ）は４．２９ボルトである。この時、液晶表示装置１における、全白時の透過率は２０％である。
【０１０６】
なお、全白時の透過率が２０％に選択された時、階調基準電圧は、Ｖ２＝４．８５ボルト，Ｖ３＝４．４４ボルト，Ｖ４＝４．２９ボルトに設定されている。この時、階調基準電圧Ｖ１，Ｖ２，Ｖ３，Ｖ４，Ｖ５は、略ガンマ＝２．２になる様に設定されている。
【図面の簡単な説明】
【０１０７】
【図１】本発明の実施例に係る液晶表示装置１のブロック図である。
【図２】液晶表示装置１の主要部品を示すブロック図である。
【図３】液晶表示装置１に用いられるＤＡ変換部のブロック図である。
【図４】液晶表示装置１における、階調基準電圧を示す表である。
【図５】ガンマ特性図である。
【符号の説明】
【０１０８】
９  ソースドライバ
１０  ゲートドライバ
１１  液晶パネル
１５  制御部
２３  ＤＡ変換部
【図１】
2007033980.tif 000003
【図２】
2007033980.tif 000004
【図３】
2007033980.tif 000005
【図４】
2007033980.tif 000006
【図５】
2007033980.tif 000007